(57)【要約】      （修正有）【課題】  人体の影響を軽減し、広帯域で高利得を得る。【解決手段】接続ブロック３０において、音声信号用の信号線及び接地線を高周波チョーク３５Ｌ，３５Ｒ，３５Ｃを介してイヤホンケーブル４１，４２の２本の信号線４１Ａ，４１Ｂ・４２Ａ，４２Ｂに接続することで、音声信号の伝達路を形成し、平衡不平衡のモード変換を行うバラン３７の不平衡部に同軸線の中心導体２１とそのシールド線２３を接続する。上記イヤホンケーブル４１，４２の２本の信号線４１Ａ，４１Ｂ・４２Ａ，４２Ｂをコンデンサ３６Ｌ，３６Ｒ，３６を介して上記バラン３７の平衡部の一端に接続し、上記バラン３７の平衡部のもう一端を上記同軸線及び音声信号線２５Ｌ，２５Ｒの外側を被覆するシールド線２７と接続することで、上記イヤホンケーブル４１，４２と上記同軸線及び音声信号線２５Ｌ，２５Ｒの外側を被覆するシールド線２７とで、ダイポールアンテナを構成する。【選択図】        図５
2005333613.tif 000002
【特許請求の範囲】
【請求項１】
イヤホンに音声信号を供給する２本の絶縁被覆された信号線からなるイヤホンケーブルと、
高周波信号を通す中心導体を絶縁体で被覆し、さらに、シールド線で被覆してなる同軸線及び絶縁被覆された音声信号用の信号線及び接地線からなり、それらの外側に絶縁材を介して、シールド線で被覆した構造で、その一端が多極コネクタを介して無線機本体に接続されるシールドケーブルと、
上記シールドケーブルの他端を上記イヤホンケーブルにするための接続ブロックとを備え、
上記接続ブロックにおいて、上記音声信号用の信号線及び接地線をそれぞれ音声信号の周波数領域ではローインピーダンスで高周波信号の周波数領域ではハイインピーダンスとなる高周波チョークを介して上記イヤホンケーブルの２本の信号線に接続することで、音声信号の伝達路を形成するとともに、インピーダンス及び平衡不平衡のモード変換を行うバランの不平衡部に上記同軸線の中心導体とそのシールド線を接続し、上記イヤホンケーブルの２本の信号線をそれぞれ音声信号の周波数領域ではハイインピーダンスで高周波信号の周波数領域ではローインピーダンスとなるコンデンサを介して上記バランの平衡部の一端に接続し、上記バランの平衡部のもう一端を上記同軸線及び音声信号線の外側を被覆するシールド線と接続することで、上記イヤホンケーブルと上記同軸線及び音声信号線の外側を被覆するシールド線とで、ダイポールアンテナを構成したことを特徴とするイヤホンアンテナ。
【請求項２】
上記接続ブロックに２本のイヤホンケーブルを介して接続されたステレオイヤホンを備え、一方、または、両方のイヤホンケーブルの中途部分に高周波チョークを挿入し、上記イヤホンケーブルの共振周波数を異ならしめる、又は、可変としたことを特徴とする請求項１記載のイヤホンアンテナ。
【請求項３】
上記接続ブロックに、マイクロホン及び切り替えスイッチを搭載したことを特徴とする請求項１記載のイヤホンアンテナ。
【請求項４】
上記接続ブロックに、増幅器を搭載したことを特徴とする請求項１記載のイヤホンアンテナ。
【請求項５】
チューナと音声信号出力部に接続された多極ジャックを備える無線機本体と、
イヤホンに音声信号を供給する２本の絶縁被覆された信号線からなるイヤホンケーブルと、高周波信号を通す中心導体を絶縁体で被覆し、さらに、シールド線で被覆してなる同軸線及び絶縁被覆された音声信号用の信号線及び接地線からなり、それらの外側に絶縁材を介して、シールド線で被覆した構造で、その一端が多極コネクタを介して無線機本体に接続されるシールドケーブルと、上記シールドケーブルの他端を上記イヤホンケーブルにするための接続ブロックとを備えるイヤホンアンテナとからなり、
上記イヤホンアンテナは、上記接続ブロックにおいて、上記音声信号用の信号線及び接地線をそれぞれ音声信号の周波数領域ではローインピーダンスで高周波信号の周波数領域ではハイインピーダンスとなる高周波チョークを介して上記イヤホンケーブルの２本の信号線に接続することで、音声信号の伝達路を形成するとともに、インピーダンス及び平衡不平衡のモード変換を行うバランの不平衡部に上記同軸線の中心導体とそのシールド線を接続し、上記イヤホンケーブルの２本の信号線をそれぞれ音声信号の周波数領域ではハイインピーダンスで高周波信号の周波数領域ではローインピーダンスとなるコンデンサを介して上記バランの平衡部の一端に接続し、上記バランの平衡部のもう一端を上記同軸線及び音声信号線の外側を被覆するシールド線と接続することで、上記イヤホンケーブルと上記同軸線及び音声信号線の外側を被覆するシールド線とで、ダイポールアンテナを構成したことを特徴とする携帯型無線機。
【発明の詳細な説明】
【技術分野】
【０００１】
本発明は、人体に装着して使用される携帯型無線機のイヤホンアンテナ及びこのイヤホンアンテナを備えた携帯型無線機に関する。
【背景技術】
【０００２】
従来より、人体に装着して使用されるページャ、ラジオ受信機や液晶テレビジョン受像機などの携帯型無線機において、ロッドアンテナやイヤホンへ音声信号を伝送する信号線をアンテナとして利用するイヤホンアンテナが使用されている。
【０００３】
【特許文献１】特開２００３−１６３５２９号公報
【発明の開示】
【発明が解決しようとする課題】
【０００４】
ところで、ロッドアンテナやイヤホンアンテナを使用する携帯型無線機では、人体に装着して使用する際に、人体への装着によりアンテナの性能劣化が著しく、映像などの情報量の多い信号を扱うテレビ放送のような場合、十分な受信感度が得られないという問題があった。
【０００５】
特に、イヤホンへ音声信号を伝送する信号線をアンテナとして利用するイヤホンアンテナは、イヤホンや信号線が直接人体に触れるので、人体がアンテナを通じて無線機に大きな影響を及ぼし、受信の安定性を大きく損なうという問題点があった。
【０００６】
また、例えば日本におけるテレビジョン放送では９０〜１０８ＭＨｚ（１〜３ｃｈ）、１７０〜２２２ＭＨｚ（４〜１２ｃｈ）のＶＨＦ帯域と、４７０〜７７０ＭＨｚ（１３〜６２ｃｈ）のＵＨＦ帯域が使用されているので、テレビジョン放送を受信する液晶テレビジョン受像機では９０〜７７０ＭＨｚという極めて広帯域の高周波信号を受信する必要があり、従来のロッドアンテナやイヤホンアンテナでは、固定式のアンテナに比べて性能が劣っており、必要とする周波数範囲で十分な感度を確保することが極めて困難であった。
【０００７】
また、ロッドアンテナやイヤホンアンテナは、λ／４で、共振するモノポールアンテナのため、携帯無線端末のグランドサイズによって、受信感度が、大きく影響を受けるために携帯型無線機の設計の制約となっていた。
【０００８】
そこで、本発明の目的は、上述の如き従来の問題点に鑑み、人体の影響を軽減し、広帯域で高利得のイヤホンアンテナを提供するとともに、受信の安定性を確保した携帯型無線機を提供することにある。
【課題を解決するための手段】
【０００９】
本発明に係るイヤホンアンテナは、イヤホンに音声信号を供給する２本の絶縁被覆された信号線からなるイヤホンケーブルと、高周波信号を通す中心導体を絶縁体で被覆し、さらに、シールド線で被覆してなる同軸線及び絶縁被覆された音声信号用の信号線及び接地線からなり、それらの外側に絶縁材を介して、シールド線で被覆した構造で、その一端が多極コネクタを介して無線機本体に接続されるシールドケーブルと、上記シールドケーブルの他端を上記イヤホンケーブルにするための接続ブロックとを備え、上記接続ブロックにおいて、上記音声信号用の信号線及び接地線をそれぞれ音声信号の周波数領域ではローインピーダンスで高周波信号の周波数領域ではハイインピーダンスとなる高周波チョークを介して上記イヤホンケーブルの２本の信号線に接続することで、音声信号の伝達路を形成するとともに、インピーダンス及び平衡不平衡のモード変換を行うバランの不平衡部に上記同軸線の中心導体とそのシールド線を接続し、上記イヤホンケーブルの２本の信号線をそれぞれ音声信号の周波数領域ではハイインピーダンスで高周波信号の周波数領域ではローインピーダンスとなるコンデンサを介して上記バランの平衡部の一端に接続し、上記バランの平衡部のもう一端を上記同軸線及び音声信号線の外側を被覆するシールド線と接続することで、上記イヤホンケーブルと上記同軸線及び音声信号線の外側を被覆するシールド線とで、ダイポールアンテナを構成したことを特徴とする。
【００１０】
また、本発明に係る携帯型無線機は、チューナと音声信号出力部に接続された多極ジャックを備える無線機本体と、イヤホンに音声信号を供給する２本の絶縁被覆された信号線からなるイヤホンケーブルと、高周波信号を通す中心導体を絶縁体で被覆し、さらに、シールド線で被覆してなる同軸線及び絶縁被覆された音声信号用の信号線及び接地線からなり、それらの外側に絶縁材を介して、シールド線で被覆した構造で、その一端が多極コネクタを介して無線機本体に接続されるシールドケーブルと、上記シールドケーブルの他端を上記イヤホンケーブルにするための接続ブロックとを備えるイヤホンアンテナとからなり、上記イヤホンアンテナは、上記接続ブロックにおいて、上記音声信号用の信号線及び接地線をそれぞれ音声信号の周波数領域ではローインピーダンスで高周波信号の周波数領域ではハイインピーダンスとなる高周波チョークを介して上記イヤホンケーブルの２本の信号線に接続することで、音声信号の伝達路を形成するとともに、インピーダンス及び平衡不平衡のモード変換を行うバランの不平衡部に上記同軸線の中心導体とそのシールド線を接続し、上記イヤホンケーブルの２本の信号線をそれぞれ音声信号の周波数領域ではハイインピーダンスで高周波信号の周波数領域ではローインピーダンスとなるコンデンサを介して上記バランの平衡部の一端に接続し、上記バランの平衡部のもう一端を上記同軸線及び音声信号線の外側を被覆するシールド線と接続することで、上記イヤホンケーブルと上記同軸線及び音声信号線の外側を被覆するシールド線とで、ダイポールアンテナを構成したことを特徴とする。
【発明の効果】
【００１１】
本発明に係るイヤホンアンテナでは、接続ブロックにおいて、音声信号用の信号線及び接地線をそれぞれ音声信号の周波数領域ではローインピーダンスで高周波信号の周波数領域ではハイインピーダンスとなる高周波チョークを介してイヤホンケーブルの２本の信号線に接続することで、音声信号の伝達路を形成するとともに、インピーダンス及び平衡不平衡のモード変換を行うバランの不平衡部に同軸線の中心導体とそのシールド線を接続し、上記イヤホンケーブルの２本の信号線をそれぞれ音声信号の周波数領域ではハイインピーダンスで高周波信号の周波数領域ではローインピーダンスとなるコンデンサを介して上記バランの平衡部の一端に接続し、上記バランの平衡部のもう一端を上記同軸線及び音声信号線の外側を被覆するシールド線と接続することで、上記イヤホンケーブルと上記同軸線及び音声信号線の外側を被覆するシールド線とでダイポールアンテナとして機能するので、人体の影響を低減して、広帯域に亘って高利得を得ることができる。
【００１２】
本発明に係るイヤホンアンテナは、例えば、上記接続ブロックに２本のイヤホンケーブルを介して接続されたステレオイヤホンを備え、一方、または、両方のイヤホンケーブルの中途部分に高周波チョークを挿入し、上記イヤホンケーブルの共振周波数を異ならしめる、又は、可変としたものとすることができる。
【００１３】
また、本発明に係るイヤホンアンテナは、上記接続ブロックに、マイクロホン及び切り替えスイッチを搭載したものとすることができる。
【００１４】
さらに、本発明に係るイヤホンアンテナは、上記接続ブロックに、増幅器を搭載したものとすることができる。
【００１５】
本発明に係る携帯型無線機では、接続ブロックにおいて、音声信号用の信号線及び接地線をそれぞれ音声信号の周波数領域ではローインピーダンスで高周波信号の周波数領域ではハイインピーダンスとなる高周波チョークを介してイヤホンケーブルの２本の信号線に接続することで、音声信号の伝達路を形成するとともに、インピーダンス及び平衡不平衡のモード変換を行うバランの不平衡部に同軸線の中心導体とそのシールド線を接続し、上記イヤホンケーブルの２本の信号線をそれぞれ音声信号の周波数領域ではハイインピーダンスで高周波信号の周波数領域ではローインピーダンスとなるコンデンサを介して上記バランの平衡部の一端に接続し、上記バランの平衡部のもう一端を上記同軸線及び音声信号線の外側を被覆するシールド線と接続することで、上記イヤホンケーブルと上記同軸線及び音声信号線の外側を被覆するシールド線とでダイポールアンテナとして機能するイヤホンアンテナが、無線機本体に多極プラグ・ジャックを介して接続されることによって、広帯域に亘って受信の安定性を確保することができる。
【発明を実施するための最良の形態】
【００１６】
以下、本発明の実施の形態について、図面を参照して詳細に説明する。
【００１７】
本発明は、例えば図１に示すような構成の液晶テレビジョン受像機１００に適用される。
【００１８】
この図１に示す液晶テレビジョン受像機１００において、本発明に係るイヤホンアンテナ１０は、ピンジャックコネクタ１１０を介して受像器本体１２０に接続される。
【００１９】
ピンジャックコネクタ１１０は、図２に示すように、アンテナ（Ａｎｔ）、ヘッドホン検出（検出）、オーディオＬチャンネル（Ｌ）、オーディオＲチャンネル（Ｒ）及びグランド（Ｇｎｄ）の５種類のラインが接続されるそれぞれ５極のピン１１０Ａとジャック１１０Ｂからなる。
【００２０】
受像器本体１２０には、図３に示すように、チューナ部１２１、このチューナ部１２１に接続された中間周波信号処理部１２２、この中間周波信号処理部１２２に接続された映像信号処理部１２３及び音声信号処理部１２５、上記映像信号処理部１２３に接続された液晶表示部１２４と、上記ピンジャックコネクタ１１０を構成するジャック１１０Ｂが設けられている。
【００２１】
この液晶テレビジョン受像機１００において、上記ジャック１１０Ｂは、図２に示すように、５個の可動端子１，２，５，６，７と２つの固定端子３，４を備え、図３に示すように、可動端子７がアンテナ端子（Ａｎｔ）として、また可動端子１がグランドとしてチューナ部１２１に接続されており、また、可動端子２，５が、オーディオＬチャンネル端子（Ｌ）、オーディオＲチャンネル端子（Ｒ）として音声信号処理部１２５に接続されている。可動端子６は、無線機の共通グランド端子（Ｇｎｄ）として無線機本体の基板のＧＮＤに接続されている。固定端子３，４は、ピンの固定用の端子である。イヤホンアンテナ１０は、一端が上記５極ピンジャックコネクタ１１０を介して上記受像機本体１２０に接続されるシールドケーブル２０と、このシールドケーブル２０の他端に接続された接続ブロック３０と、この接続ブロック３０に２本のイヤホンケーブル４１，４２を介して接続されたステレオイヤホン４０Ｌ，４０Ｒからなる。
【００２２】
上記シールドケーブル２０は、図４に示すように、高周波信号を通す中心導体２１を絶縁体２２で被覆し、さらに、シールド線２３で被覆してなる同軸線２４及び絶縁被覆された音声信号用の信号線２５Ｌ，２５Ｒ及び接地線２５Ｃからなり、それらの外側に紙やビニールシートなどからなる絶縁シート２６を介して、軟銅を巻回した構造或いは編組構造のシールド線２７で被覆してなる。
【００２３】
そして、このシールドケーブル２０は、上記同軸線２４の中心導体２１及びシールド線２３、音声信号用の信号線２５Ｌ，２５Ｒ及び接地線２５Ｃに接続された５極のピン１１０Ａが一端側に設けられている。また、このシールドケーブル２０の他端側には、上記中心導体２１、シールド線２３、音声信号用の信号線２５Ｌ，２５Ｒ、接地線２５Ｃ及びシールド線２７に接続された接続ブロック３０が設けられている。
【００２４】
ここで、同軸線２４、音声信号用の信号線２５Ｌ，２５Ｒ及び接地線２５Ｃを被覆したシールド線２７は、上記接続ブロック３０には接続されているが上記ピン１１０Ａには接続されていない。
【００２５】
接続ブロック３０は、図５に示すように、中央に設けられたグランドパターン３１、このグランドパターン３１の両側に設けられたステレオ音声信号の伝送ラインパターン３２Ｌ，３２Ｒ、上記グランドパターン３１の先端側に設けられた３つの接続ランド３３Ｌ，３３Ｒ，３３Ｃ、上記グランドパターン３１の基端側の片側に設けられた第４及び第５の接続ランド３３Ｄ，３３Ｅが形成された基板３４を備える。
【００２６】
この接続ブロック３０では、上記ステレオ音声信号の伝送ラインパターン３２Ｌ，３２Ｒの先端部分が高周波チョーク３５Ｌ，３５Ｒを介して上記３つの接続ランド３３Ｌ，３３Ｒ，３３Ｃのうちの第１及び第２の接続ランド３３Ｌ，３３Ｒと接続されている。また、上記グランドパターン３１は、上記３つの接続ランド３３Ｌ，３３Ｒ，３３Ｃのうちの第３の接続ランド３３Ｃに高周波チョーク３５Ｃを介して接続されている。また、上記第１の接続ランド３３Ｌと第３の接続ランド３３Ｃは、チップコンデンサ３６Ｌを介して接続されている。上記第２の接続ランド３３Ｒと第３の接続ランド３３Ｃは、チップコンデンサ３６Ｒを介して接続されている。また、上記第３の接続ランド３３Ｃと第４の接続ランド３３Ｄは、チップコンデンサ３６を介して接続されている。さらに、上記第４の接続ランド３３Ｄと上記グランドパターン３１及び第５の接続ランド３３Ｅに接続されたインピーダンス及び平衡不平衡のモード変換を行うバラン３７が実装されている。なお、上記バラン３７は、その平衡側の一端が第４の接続ランド３３Ｄと接続され、平衡側の他端が第５の接続ランド３３Ｅに接続され、不平衡側の一端がグランドパターン３１に接続されている。
【００２７】
そして、この接続ブロック３０には、左側イヤホン４０Ｌに左側音声信号を供給する２本の信号線４１Ａ，４１Ｂからなる左側イヤホンケーブル４１が上記第１の接続ランド３３Ｌと第３の接続ランド３３Ｃに接続され、また、右側イヤホン４０Ｒに右側音声信号を供給する２本の信号線４２Ａ，４２Ｂからなる右側イヤホンケーブル４２が上記第２の接続ランド３３Ｒと第３の接続ランド３３Ｃに接続されている。
【００２８】
また、この接続ブロック３０には、上記シールドケーブル２０が次のように接続されている。
【００２９】
すなわち、上記基板３４に形成されている音声信号の伝送ラインパターン３２Ｌ及び３２Ｒに上記シールドケーブル２０の左側音声信号線２５Ｌ及び右側音声信号線２５Ｒが接続され、また、グランドパターン３１に接地線２５Ｃが接続されている。また、上記グランドパターン３１には、上記シールドケーブル２０の同軸構造をなす中心導体２１及びシールド線２３が上記グランドパターン３１上に載置され、シールド線２３がグランドパターン３１に接続され、中心導体２１の先端が上記バラン３７の不平衡側の他端に接続されている。さらに、上記第５の接続ランド３３Ｅにシールド線２７が接続されている。
【００３０】
ここで、この実施の形態において、上記高周波チョーク３５Ｌ，３５Ｒ，３５Ｃとしては、フェライトビーズ、例えば村田製作所製ＢＬＭ１８ＨＤ１０２ＳＮ１  サイズ１６０８が使用されている。このフェライトビーズを用いた高周波チョーク３５Ｌ，３５Ｒ，３５Ｃは、２０ｋＨｚ以下の周波数帯域の音声信号に対してはローインピーダンスとなり、高周波信号に対してはハイインピーダンスとなって、高周波信号の通過を阻止する。また、各チップコンデンサ３６Ｌ，３６Ｒ,３６は、それぞれ１０ｐＦの容量を有するものが使用され、２０ｋＨｚ以下の周波数帯域の音声信号に対してはハイインピーダンスとなって、音声信号の通過を阻止し、高周波信号に対してはローインピーダンスとなる。
【００３１】
このイヤホンアンテナ１０は、電気的な回路構成図を図６に示すように、音声信号をステレオイヤホンのスピーカ４０Ｌ，４０Ｒまで伝達するのに、左右及びＧＮＤの片側それぞれ２本の信号線４１Ａ，４１Ｂ・４２Ａ，４２Ｂからなるイヤホンケーブル４１，４２が引き出されており、音声信号と高周波信号を分離するために、音声信号の入力部及びグランドに落ちる部分すなわち接続ランド３３Ｌ，３３Ｒ，３３Ｃ部分に、フェライトビーズを使用した高周波長チョーク３５Ｌ，３５Ｒ，３５Ｃを設け、テレビジョン放送で使用する周波数帯域において、高インピーダンス（１ｋΩ以上）また、音声周波帯域（２０ｋＨｚ以下）においては、低インピーダンスになるようにして、音声信号と高周波信号とを分離する構成とした。
【００３２】
すなわち、片側２本の信号線４１Ａ，４１Ｂ・４２Ａ，４２Ｂからなるイヤホンケーブル４１，４２は、高周波的には、同軸線２３の信号線である中心導体２１に接続されるため、これを音声領域的に分離されているようにするために、接続ランド３３Ｌ，３３Ｒ，３３Ｄ、３３Ｃの間を１０ｐＦのチップコンデンサ３６Ｌ，３６Ｒ、３６で接続し、音声領域においては、信号を分離し、ＲＦ信号（テレビ帯の周波数領域）においては、接続されるようにした。
【００３３】
ここで、日本におけるテレビの使用周波数帯域は、ＶＨＦで、９０Ｍ〜１０８ＭＨｚ（１〜３ｃＨ）、１７０Ｍ〜２２２ＭＨｚ（４〜１２ｃＨ）、ＵＨＦ帯で４７０Ｍ〜７７０ＭＨｚ（１３〜６２ｃＨ）である。
【００３４】
そこで、このイヤホンアンテナ１０では、イヤホンケーブル４１，４２及びシールドケーブル２０を被覆しているシールド線２７を上記同軸線２４にバラン３７を介して接続した構造とすることにより、上記イヤホンケーブル４１，４２とシールド線２７を空中線として使用して、その線路長で共振するダイポールアンテナ構造とし、ＶＨＦ帯の１００ＭＨｚを受信出来るようにおのおの長さを調整した。
【００３５】
この実施の形態におけるイヤホンアンテナ１０では、同軸線２４の特性インピータンスを７５Ωとし、シールドケーブル２０の長さを７０ｃｍとし、イヤホンケーブル４１，４２の長さを５０ｃｍとして、１００ＭＨｚで共振するように調整した。２００ＭＨｚは、１λアンテナとして受信できるような構造とし、ＵＨＦにおいては、１００ＭＨｚ及び２００ＭＨｚの高調波励振（３倍波、５倍波、７倍波）を利用するようにした。
【００３６】
この実施の形態におけるイヤホンアンテナ１０では、ダイポール構造とすることで、アンテナとして安定となり、また、接続ブロック３０には、いろいろな機能を付加することができる。
【００３７】
例えば、携帯電話向けには、図７のようなマイクロホン１２及びスイッチ１３を備えた回路構成を実現することで、アンテナ利得を低下させることなく、マイクロホン１２の機能を付加するができ、また、図８に示すように増幅器１４を付加すれば、アンテナ近傍に増幅器１４を置くことが可能となり、システムとしたときのＮＦ（雑音指数）の大幅な改善を実現することができる。
ここで、上記イヤホンアンテナ１０では、２本のイヤホンケーブル４１，４２の長さを等しくしたが、接続ブロック３０の接続ランド３３Ｌ，３３Ｒ，３３Ｃからイヤホン４０Ｌ，４０Ｒまでの２本のイヤホンケーブル４１，４２の長さそれぞれを変えることで、異なる周波数にも対応することも可能である。
【００３８】
また、図９に示すイヤホンアンテナ１０Ａのように、２本のイヤホンケーブル４１，４２のうちの一方例えば左側音声信号用のイヤホンケーブル４１の中途部分に高周波チョーク（フェライトビーズ）３５Ａ，３５Ｂを挿入することにより、高周波信号を分離して、共振長を短くするようにしてもよい。この図９に示したイヤホンアンテナ１０Ａでは、一方のイヤホンケーブル４１の共振長を２５０ｍｍ、他方のイヤホンケーブル４２の共振長を４００ｍｍとし、同軸線２１の特性インピータンスは７５Ωとし、シールドケーブル２０の長さを６００ｍｍとした。なお、このイヤホンアンテナ１０Ａにおいて、他の構成要素は、上記イヤホンアンテナ１０と同じなので、同一構成要素を図９中に同一の指示符号を付して示し、詳細な説明を省略する。
【００３９】
さらに、本発明は、モノラルイヤホンでイヤホンケーブルが一本の場合にも適用することができる。
【図面の簡単な説明】
【００４０】
【図１】本発明を適用した液晶テレビジョン受像機の構成を示すブロック図である。
【図２】上記液晶テレビジョン受像機において受像機本体とイヤホンアンテナとを接続するピンジャックコネクタの構成を示す図である。
【図３】上記受像器本体の構成を示すブロック図である。
【図４】上記イヤホンアンテナを構成するシールドケーブルの構造を示す図である。
【図５】上記イヤホンアンテナを構成する接続ブロックの構成を示す図である。
【図６】上記イヤホンアンテナの電気的な構成を示す回路構成図である。
【図７】接続ブロック上にマイクロホンの機能を搭載したイヤホンアンテナの電気的な構成を示す回路構成図である。
【図８】接続ブロック上に増幅器を搭載したイヤホンアンテナの電気的な構成を示す回路構成図である。
【図９】本発明に係るイヤホンアンテナの他の構成例を示す図である。
【符号の説明】
【００４１】
１，２，５，６，７  可動端子、３，４  固定端子、１０  イヤホンアンテナ、１２  マイクロホン、１３  スイッチ、１４  増幅器、２０  シールドケーブル、２１  中心導体、２２  絶縁体、２３  シールド線、２４  同軸線、２５Ｌ，２５Ｒ  音声信号用信号線、２５Ｃ  接地線、２６  絶縁シート、２７  シールド線、３０  接続ブロック、３１  グランドパターン、３２Ｌ，３２Ｒ  伝送ラインパターン、３３Ｌ，３３Ｒ，３３Ｃ，３３Ｄ，３３Ｅ接続ランド、３５Ｌ，３５Ｒ，３５Ｃ  高周波チョーク、３６Ｌ，３６Ｒ，３６  チップコンデンサ、３７  バラン、４０Ｌ，４０Ｒ  ステレオイヤホン、４１，４２  イヤホンケーブル、４１Ａ，４１Ｂ，４２Ａ，４２Ｂ  信号線、  １００  液晶テレビジョン受像機、１１０  ピンジャックコネクタ、１２０  受像器本体、１１０Ａ  ピン、１１０Ｂ  ジャック、１２１  チューナ部、１２２  中間周波信号処理部、１２３  映像信号処理部、１２４  液晶教示部、１２５  音声信号処理部
【図１】
2005333613.tif 000003
【図２】
2005333613.tif 000004
【図３】
2005333613.tif 000005
【図４】
2005333613.tif 000006
【図５】
2005333613.tif 000007
【図６】
2005333613.tif 000008
【図７】
2005333613.tif 000009
【図８】
2005333613.tif 000010
【図９】
2005333613.tif 000011
【手続補正書】
【提出日】平成17年3月18日(2005.3.18)
【手続補正１】
【補正対象書類名】図面
【補正対象項目名】図７
【補正方法】変更
【補正の内容】
【図７】
2005333613.tif 000012
【手続補正２】
【補正対象書類名】図面
【補正対象項目名】図８
【補正方法】変更
【補正の内容】
【図８】
2005333613.tif 000013